(57)【要約】【課題】  日本古来の着物は、着付けの技術が必要で一人では着られない、帯も結ぶことが出来ない、又着崩れや、  型崩れの為、洗濯が簡単に出来ない、収納もたたんで箪笥にしまうなどの不便性があった。【解決手段】そして、本発明は上記目的を達成するために従来の反物による直線断ちの制作と異なり、洋服の型紙技術を駆使し、立体裁断で分離された上衣下衣を備え、上衣は後ろのファスナー開きで着脱する。前衿は既に合わさって出来ている、衿先が縫い込まれているペプラムはお端折りとなる。後ろ衣紋も抜けている。肩傾斜が付き両脇に付くゴムベルトの効果で背中にシワは寄らない。洗濯可能な襦袢衿を、着物本体の衿に釦等で取り付けて着る。ウエストゴムのスカートを履き、帯はお太鼓に帯締め、帯揚げ、帯板が全て一体化された完全なつくり帯を装着するだけである。【選択図】図５
2019011538.tif 000002
【特許請求の範囲】
【請求項１】
洋服の型紙を使用して立体裁断分離された上衣を下火を備え、上衣は後ろ開きファスナーで着脱する。前衿は既に合わさって出来ており、後ろ衣紋も抜けている。襦袢衿を本体の衿にボタンで取り付けて着る。前の合わさりが出来ている衿先が縫い込まれているペプラムはお端折りとなる。脇に付くゴムの効果で背中にシワは寄らない。ウエストゴムのスカートを履く。お太鼓は帯に枕と帯揚げ、帯締め、帯板が挿入された帯と全てが一体化されており、装着するだけの洋服様着物セットである。
着付けに紐は、一本も使用しない。
制作内容は和の素材と生産工程に拘らず、洋服飾の素材を使用し、洋裁技術を駆使する。
【発明の詳細な説明】
【技術分野】
【０００１】  本発明は、着付けの技術を不要とする洋服様着物セットである。
【背景技術】
【０００２】  従来の着物一式は一人で着付けが出来ず時間も、費用も掛かり、着物の組形成状でアフターフォローの収納や洗濯など利便性に欠けていた。
【先行技術文献】
【０００３】
【特許文献】
【特許文献】特願２０１２−１８５９９４号公報
【０００４】
【特許文献】特開２０１３−１４８７０号公報
【０００５】
【特許文献】特開２０１４−４３６５４号公報
【発明の概要】
【発明が解決しようとする課題】
【０００６】  日本古来の着物は着付けの技術が必要で、一人で着られない。又、型くずれや、着物の組成形状上、洗濯が簡単に出来ないなどの、利便性に欠けていた。【０００７】  本発明は、従来の着付けの技術部分とデザイン、機能の制作から根本的に改善し、誰でも気軽に着用できるようにした。
【課題を解決する為の手段】
【０００８】  そして、本発明は、上記目的を達成するために従来の制作と異なり、洋裁の型紙技術を使用して立体裁断分離された上衣と下衣を備え、上部は後ろのファスナー開きにて着脱する。前衿は既に合わさって出来ており、衿先はウエスト切り替えの前ペプラムに縫い込んである。後ろ衣紋も抜けている。襦袢衿を本体の衿にボタンで取付けている。肩傾斜がつき、両脇に付くゴムの効果で背中にシワは寄らない。下はウエストゴムの右脇ベンツスカートを履く。お太鼓は帯に枕と帯揚げ、すべてが一体化されており装着するだけであることを特徴とした洋服様着物セットを提供する
【０００９】  又、第二の課題解決は、制作内容は和の素材と生産工程に拘らず洋服飾の素材を使用し、洋裁技術を駆使する。
【発明の効果】
【００１０】  上述したように本発明の洋服様着物は、デザイン、機能性に優れた着物姿を簡単に表現出来る。そして、着付けの技術は不要で着付け時間の短縮ができる。身体に付けるだけで、着物感を味わえ、洋服とのコーディネートも可能で収納も簡単な洋服様ツーピス着物セットである。
【図面の簡単な説明】
【００１１】
【図１】  本考案の２部式着物を示す前上身頃
【図２】  本考案の２部式着物を示す後上身頃
【図３】  本考案の２部式着物を示す巻きスカート
【図４】  本考案の帯
【図５】  本案件の着用合体図
【符号の説明】
【００１２】１      ２部式上衣
２      襦袢衿取付け釦
２ａ    襦袢衿取付け釦穴
３      合わせ衿
３ａ    後衣紋
４      肩傾斜接ぎ
５      両脇ゴム
６      前切り替えペプラム
６ａ    後切り替えペプラム
７      ペプラム
８      フック付ゴムベルト
８ａ    サイズ調整ゴムベルト
８ｃ    ゴムベルト止めステッチ
９      帯揚げの為の通しループ
１０    後ろ開き
１０ａ  後ろ開きファスナー
１０ｂ  後ろファスナー引手
１１    襦袢衿
１２    襦袢衿合わせ止めスナップ
１３    ２部式下スカート
１４    前中心ウエストスピンドル
１５    ウエストゴム
１６    脇ポケット
１７    ベンツ明き止まり
１８    帯
１９    お太鼓部分
２０    帯部分
２１    帯とお太鼓止縫い
２２    帯板差し込み口
２２ａ  帯板
２３    帯締め
２４    帯枕
２４ａ  枕止め
２４ｂ  帯揚げ
２５    帯揚げ補助ゴムベルト
２５ａ  帯揚げ補助調節ゴムベルト
２６    たれ
【発明を実施するための形態】
【００１３】  以下、本発明の実施の形態を図１〜図５に基付いて説明する。
【００１４】  図に於いては、着物は上下に分かれている２部式の洋服様着物である。
【００１５】  上衣１の衿３は着物風に合わさって出来ており、後ろの衣紋３ａは既に抜けており、前の衿先６は前ペプラム７に縫い込まれている。ペプラム７はお端折りの役目をする。
【００１６】  立体裁断で肩傾斜４がついており、更に、両脇ゴム５で背中のシワは無くすっきりする。後ろ脇からフック付のゴムベルト８と調節付きのゴムベルト８ａが付く、前で止める。両脇みやつ口には、帯揚げを通すベルト通し９が付く。
【００１７】  襦袢衿１１は本体の釦２と釦ホール２ａで取り外し可能で、前中心はスナップ１２で合わせ止める。襦袢衿１１は洗濯ができる。
【００１８】  後ろ中心１０に着脱用のファスナー１０ａが付く。上から下に引手１０ｂを引いて閉める。
【００１９】  図に於いては、着物は上下に分かれている２部式のスカート１３である。
【００２０】  ウエストはゴム１５で前中心になる箇所にスピンドル１４が付く。
【００２１】  脇にポケット１６が付く。
【００２２】  裾さばきよく右脇にはベンツ１７が付く。
【００２３】  全て一体化した帯１８である。
【００２４】  お太鼓１９と一体化した帯１８を背中に背負って、帯揚げ補助ベルト２５帯揚げ補助調節ゴムベルト２５ａで体に止める、帯揚げ２４ｂを結ぶ。
【００２５】  帯１８の内側に付く帯板２２ａを差し込み口２２から入れて、体に巻く。
【００２６】  帯締め２３を前で結んでたれ２６を整える。
【図１】
2019011538.tif 000003
【図２】
2019011538.tif 000004
【図３】
2019011538.tif 000005
【図４】
2019011538.tif 000006
【図５】
2019011538.tif 000007
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
洋服の型紙を使用して立体裁断分離された上下と下衣を備え、上衣は後ろ開きファスナーで着脱し、前衿は既に合わさってできており、後ろ衣紋も抜けており、襦袢を本体の衿にボタンで取付けて着る着物であり、前の合わさりができている衿先が縫い込まれているペプラムはお端折りとなっており、脇に付くゴムの効果で背中にシワは寄らず、下衣としてウエストゴムのスカートを履き、お太鼓は帯に枕と帯揚げ、帯締め、帯板が挿入された帯と全てが一体化されており、装着するだけの洋服様着物セットであって、着付には紐は１本も使用せず、洋服飾の素材を使用して制作する、洋服様着物セット。